(57)【特許請求の範囲】
【請求項１】
移動端末機の各種動作モードを実行する多機能デバイス（以下、ＭＦＤと略称する）と、
移動端末機の動作モードによってオーディオ信号の利得及び周波数を可変させてＭＦＤ駆動信号を発生するオーディオ増幅部とを備え、
前記オーディオ増幅部は、
複数のローパスフィルタ（ＬＰＦ）から構成された第１フィルタリング部と、
該第１フィルタリング部の出力を増幅する差動増幅器と、
複数のハイパスフィルタ（ＨＰＦ）から構成され、前記差動増幅器の入出力端子間に接続された第２フィルタリング部と、
動作モード制御信号によりオーディオ信号を複数のＬＰＦ中の一つにスイッチングする第１スイッチング部と、
動作モード制御信号により第１フィルタリング部の出力を複数のＨＰＦ中の一つにスイッチングする第２スイッチング部と
を有することを特徴とする、移動端末機のＭＦＤ制御装置。
【請求項２】
前記動作モードは、振動出力、メロディ出力及び通話音出力モードであることを特徴とする、請求項１記載の移動端末機のＭＦＤ制御装置。
【請求項３】
前記第１フィルタリング部は、前記差動増幅器の入力端子に接続されて、前記第２フィルタリング部は、前記差動増幅器の入出力端子間に接続されることを特徴とする、請求項１記載の移動端末機のＭＦＤ制御装置。
【請求項４】
移動端末機の各種動作モードを実行する多機能デバイス（以下、ＭＦＤと略称する）と、
オーディオ信号を増幅する差動増幅器と、
該差動増幅器にそれぞれ接続されており、移動端末機の動作モード制御信号によりオーディオ信号の周波数を可変させる複数のフィルタによってそれぞれが構成された第１及び第２のオーディオフィルタと、
動作モード制御信号により前記第１及び第２オーディオフィルタ中の一つのフィルタにオーディオ信号をそれぞれスイッチングするスイッチング部とを備え、
前記第１オーディオフィルタは、差動増幅器の入力端子に接続され、前記第２オーディオフィルタは、差動増幅器の入出力端子間に接続されることを特徴とする移動端末機のＭＦＤ制御装置。
【請求項５】
前記第１オーディオフィルタは、低域通過フィルタの特性を有することを特徴とする、請求項４記載の移動端末機のＭＦＤ制御装置。
【請求項６】
前記第２オーディオフィルタは、高域通過フィルタの特性を有することを特徴とする、請求項４記載の移動端末機のＭＦＤ制御装置。
【請求項７】
前記スイッチング部は、動作モード制御信号により入力オーディオ信号を第１オーディオフィルタ内の特定フィルタにスイッチングする第１スイッチと、
動作モード制御信号により第１オーディオフィルタのオーディオ信号を第２オーディオフィルタ内の特定フィルタにスイッチングする第２スイッチと
を包含して構成されることを特徴とする、請求項４記載の移動端末機のＭＦＤ制御装置。
【請求項８】
複数のローパスフィルタ（ＬＰＦ）から構成された第１フィルタリング部と、
該第１フィルタリング部の出力を増幅する差動増幅器と、
複数のハイパスフィルタ（ＨＰＦ）から構成され、前記差動増幅器の入出力端子間に接続された第２フィルタリング部と、
動作モード制御信号によりオーディオ信号を複数のＬＰＦ中の一つにスイッチングする第１スイッチング部と、
動作モード制御信号により第１フィルタリング部の出力を複数のＨＰＦ中の一つにスイッチングする第２スイッチング部と、
差動増幅器の出力により移動端末機の各種モードを実行する多機能デバイス（以下、ＭＦＤと略称する）と
を包含して構成されることを特徴とする、移動端末機のＭＦＤ制御装置。
【請求項９】
前記第１及び第２フィルタリング部は、メロディ出力モードの時の通過周波数帯域が振動共振周波数より高い周波数領域を有することを特徴とする、請求項８記載の移動端末機のＭＦＤ制御装置。
【請求項１０】
オーディオ信号を入力する工程と、
移動端末機の動作モードに基づいて、前記オーディオ信号の周波数の高域通過周波数帯域および低域通過周波数帯域をそれぞれ変更するとともに、増幅利得を変更する工程と、
その後に、周波数および増幅利得が変更されたオーディオ信号により多機能デバイス（以下、ＭＦＤと略称する）で該当動作モードを実行する工程と
を順次行うことを特徴とする、移動端末機のＭＦＤ制御方法。
【請求項１１】
前記動作モードは、振動出力、メロディ出力及び通話音出力モードであることを特徴とする、請求項１０記載の移動端末機のＭＦＤ制御方法。
【請求項１２】
前記可変されたオーディオ信号は、メロディ出力モードの時の通過周波数帯域が振動共振周波数より高い周波数帯域を有することを特徴とする、請求項１１記載の移動端末機のＭＦＤ制御方法。
【発明の詳細な説明】
【０００１】
【発明の属する技術分野】
本発明は、移動端末機の多機能デバイス（Ｍｕｌｔｉ−Ｆｕｎｃｔｉｏｎ  Ｄｅｖｉｃｅ；以下、ＭＦＤと略称する）に係り、詳しくは、移動端末機の動作モードによりＭＦＤを效果的に制御し得るＭＦＤ制御装置及びその方法に関する。
【０００２】
【従来の技術】
最近、移動端末機が小量化及び軽量化されるにつれて各部品を小量化するか又は部品の数を減らすために多様な機能を一つに統合した部品が広用されているが、その代表的な例がＭＦＤである。
【０００３】
ＭＦＤとは、移動端末機の振動、メロディ及び通話音機能を統合した移動通信端末機用部品であって、振動モータ（Ｖｉｂｒａｔｉｏｎ  Ｍｏｔｏｒ）、ブザー（Ｂｕｚｚｅｒ）及び受話器（Ｅａｒｐｉｅｃｅ）の３種類の機能を全て単一の部品によって具現したものである。即ち、ＭＦＤにおいては、共振周波数が相異なる音声コイル（ｖｏｉｃｅ  ｃｏｉｌ）と振動コイル（ｖｉｂｒａｔｉｏｎｃｏｉｌ）とに分割して構成され、前記振動コイルに低周波の振動共振周波数（ｆｏ）が入力されるとき、振動機能を発生し、前記音響コイルに音声帯域の周波数が入力されると、音響を発生する。
【０００４】
従って、ＭＦＤを使用すると、各部品を使用するときに比べて価格が低廉で部品数も減少するので、そのＭＦＤを效果的に構成することで、移動端末機を小型化、軽量化及びスリム化することができる。
【０００５】
従来移動端末機のＭＦＤ制御装置においては、図３に示したように、外部から入力されるディジタル音声信号をＰＣＭ（ｐｕｌｓｅ  ｃｏｄｅ  ｍｏｄｕｌａｔｉｏｎ）信号に変換するボコーダー（ｖｏｃｏｄｅｒ）１０と、該ボコーダー１０の出力信号（ＰＣＭ＿ＯＵＴ）をエンコーディング又はデコーディングするコーデック（ｃｏｄｅｃ）２０と、該コーデック２０から出力されたアナログ音声信号（ＣＯＤＥＣ＿ＯＵＴ）を増幅／フィルタリングして駆動信号（ＡＵＤＩＯ＿ＯＵＴ）を出力するオーディオ増幅部３０と、該オーディオ増幅部３０の駆動信号（ＡＵＤＩＯ＿ＯＵＴ）に従って一般受信音、メロディ及び振動機能を夫々具現するＭＦＤ５０と、を包含して構成されてきた。
【０００６】
且つ、前記オーディオ増幅部３０は、図４ａに示したように、コーデック２０のアナログ音声信号（ＣＯＤＥＣ＿ＯＵＴ）を増幅させるオーディオ増幅器３０ａと、増幅された音声信号の周波数応答特性を調整するオーディオフィルタ４０と、を包含して構成されてきた。
【０００７】
以下、このように構成された移動端末機のＭＦＤ制御装置の動作に対し、説明する。
【０００８】
先ず、ボコーダー１０に入力されたディジタル音声信号は、ＰＣＭ信号（ＰＣＭ＿ＯＵＴ）に変換されてコーデック２０に入力される。該コーデック２０は、ＤＡＣ回路（非図示）を利用してＰＣＭ信号（ＰＣＭ＿ＯＵＴ）をアナログ音声信号（ＣＯＤＥＣ＿ＯＵＴ）に変換してオーディオ増幅部３０に出力すると、該オーディオ増幅部３０は、入力されたアナログ音声信号（ＣＯＤＥＣ＿ＯＵＴ）を所定レベルに増幅した後、周波数応答特性を調整する。従って、ＭＦＤ５０は、オーディオ増幅部３０の駆動信号（ＡＵＤＩＯ＿ＯＵＴ）に従って通話中受信音、メロディ及び振動機能を夫々遂行する。
【０００９】
即ち、ＭＦＤ５０は、駆動信号（ＡＵＤＩＯ＿ＯＵＴ）の周波数が振動周波数（ｆｏ）に該当すると、振動モードを遂行して他の周波数帯域に該当すると、該当周波数応答特性を有する音響を出力する。この時、コーデック２０は、マイクロプロセッサ（非図示）の制御によって振動モードの場合には、振動周波数（ｆｏ）にサイン（ｓｉｎｅ）波形、メロディモードの場合には和音が包含された大きい出力の波形、通話音モードの場合には音声信号をそのまま復元して発生させる。
【００１０】
又、前記オーディオ増幅部３０の増幅利得及びフィルタ特性は、オーディオフィルタ４０の抵抗Ｒ１、Ｒ２及びコンデンサＣ１、Ｃ２の値により決定される。即ち、駆動信号（ＡＵＤＩＯ＿ＯＵＴ）の利得は、Ｒ２／Ｒ１により決定されて、オーディオフィルタ４０の特性は、図４ｂに示したように、バンドパスフィルタの特性を有して通過帯域周波数ｆ１、ｆ２は、次の式により決定される。
【００１１】
ｆ１＝１／（２π＊Ｒ１＊Ｃ１）
ｆ２＝１／（２π＊Ｒ２＊Ｃ２）
且つ、前記通過帯域周波数ｆ１、ｆ２は、一般的に通話モードを基準に夫々３００Ｈｚ及び３ＫＨｚに設定される。
【００１２】
このような状態で移動端末機が振動モードに設定されると、マイクロプロセッサ（非図示）の制御によってコーデック２０は、１６０ｈｚの振動周波数（ｆｏ）を生成して出力し、１６０ｈｚの振動周波数（ｆｏ）はオーディオフィルタ４０を通過する工程で増幅利得が減少された状態でＭＦＤ５０に伝送されることで、該ＭＦＤ５０は、伝送された振動周波数（ｆｏ）により振動モードで動作される。
【００１３】
【発明が解決しようとする課題】
然るに、このような従来ＭＦＤ制御装置においては、オーディオ増幅部３０からＭＦＤ５０に入力される振動周波数（ｆｏ）の出力が適正レベル以下に減少されると、ＭＦＤ５０の振動力が弱くなるという不都合な点があった。従って、振動周波数（ｆｏ）の出力レベルの減少を防止するために、３００ｈｚに設定した通過帯域の値を２００ｈｚに下げて設定することができるが、この場合にも、振動周波数（ｆｏ）に対する振動力のみは解決し得るけれども、メロディ及び通話音を発生する時に２００ｈｚ附近の低周波成分が包含されると、ＭＦＤ５０は不必要な振動を発生するという不都合な点があった。
【００１４】
即ち、ＭＦＤから受信音、メロディ及び振動機能を全て処理する場合には、通話中受信音及びメロディを発生させる時に、駆動信号に包含された低周波成分によってＭＦＤに不必要な振動が発生することがあるため、ＭＦＤが誤動作するか又は各モードに必要な出力レベルが満足されないので、音量を調整することが難しいという不都合な点があった。
【００１５】
本発明は、このような従来の課題に鑑みてなされたもので、通話音、メロディ及び振動のような動作モードによって増幅利得及び周波数フィルタ特性を正確に制御することでＭＦＤの誤動作を防止し得る移動端末機のＭＦＤ制御装置及びその方法を提供することを目的とする。
【００１６】
又、本発明の他の目的は、通話音、メロディ及び振動モードに対して最適の機能を発揮し得る移動端末機のＭＦＤ制御装置及びその方法を提供することである。
【００１７】
【課題を解決するための手段】
このような目的を達成するため、本発明に係る移動端末機のＭＦＤ制御装置は、移動端末機の各種動作モードを実行する多機能デバイスと、移動端末機の動作モードによってオーディオ信号の利得及び周波数を可変させてＭＦＤ駆動信号を発生するオーディオ増幅部とを備え、前記オーディオ増幅部は、複数のローパスフィルタ（ＬＰＦ）から構成された第１フィルタリング部と、該第１フィルタリング部の出力を増幅する差動増幅器と、複数のハイパスフィルタ（ＨＰＦ）から構成され、前記差動増幅器の入出力端子間に接続された第２フィルタリング部と、動作モード制御信号によりオーディオ信号を複数のＬＰＦ中の一つにスイッチングする第１スイッチング部と、動作モード制御信号により第１フィルタリング部の出力を複数のＨＰＦ中の一つにスイッチングする第２スイッチング部とを有することを特徴とする。
前記動作モードは、振動出力、メロディ出力及び通話音出力モードであることを特徴とする。
前記第１フィルタリング部は、前記差動増幅器の入力端子に接続されて、前記第２フィルタリング部は、前記差動増幅器の入出力端子間に接続されることを特徴とする。
また、本発明の移動端末機のＭＦＤ制御装置は、移動端末機の各種動作モードを実行するＭＦＤと、オーディオ信号を増幅する差動増幅器と、該差動増幅器にそれぞれ接続されており、移動端末機の動作モード制御信号によりオーディオ信号の周波数を可変させる複数のフィルタによってそれぞれが構成された第１及び第２のオーディオフィルタと、動作モード制御信号により前記第１及び第２オーディオフィルタ中の一つのフィルタにオーディオ信号をそれぞれスイッチングするスイッチング部とを備え、前記第１オーディオフィルタは、差動増幅器の入力端子に接続され、前記第２オーディオフィルタは、差動増幅器の入出力端子間に接続されることを特徴とする。
前記第１オーディオフィルタは、低域通過フィルタの特性を有することを特徴とする。
前記第２オーディオフィルタは、高域通過フィルタの特性を有することを特徴とする。
前記スイッチング部は、動作モード制御信号により入力オーディオ信号を第１オーディオフィルタ内の特定フィルタにスイッチングする第１スイッチと、動作モード制御信号により第１オーディオフィルタのオーディオ信号を第２オーディオフィルタ内の特定フィルタにスイッチングする第２スイッチとを包含して構成されることを特徴とする。
また、本発明の移動端末機のＭＦＤ制御装置は、複数のローパスフィルタ（ＬＰＦ）から構成された第１フィルタリング部と、該第１フィルタリング部の出力を増幅する差動増幅器と、複数のハイパスフィルタ（ＨＰＦ）から構成され、前記差動増幅器の入出力端子間に接続された第２フィルタリング部と、動作モード制御信号によりオーディオ信号を複数のＬＰＦ中の一つにスイッチングする第１スイッチング部と、動作モード制御信号により第１フィルタリング部の出力を複数のＨＰＦ中の一つにスイッチングする第２スイッチング部と、差動増幅器の出力により移動端末機の各種モードを実行するＭＦＤとを包含して構成されることを特徴とする。
前記第１及び第２フィルタリング部は、メロディ出力モードの時の通過周波数帯域が振動共振周波数より高い周波数領域を有することを特徴とする。
本発明の移動端末機のＭＦＤ制御方法は、オーディオ信号を入力する工程と、移動端末機の動作モードに基づいて、前記オーディオ信号の周波数の高域通過周波数帯域および低域通過周波数帯域をそれぞれ変更するとともに、増幅利得を変更する工程と、その後に、周波数および増幅利得が変更されたオーディオ信号によりＭＦＤで該当動作モードを実行する工程とを順次行うことを特徴とする。
前記動作モードは、振動出力、メロディ出力及び通話音出力モードであることを特徴とする。
前記可変されたオーディオ信号は、メロディ出力モードの時の通過周波数帯域が振動共振周波数より高い周波数帯域を有することを特徴とする。
【００４１】
【発明の実施の形態】
以下、本発明の実施の形態に対し、図面を用いて説明する。
【００４２】
図１は、本発明に係る移動端末機のオーディオ増幅部を示したブロック図である。
【００４３】
本発明に係る移動端末機のＭＦＤ制御装置は、図３に示した一般の移動端末機と同様な構成であって、本発明に係るオーディオ増幅部においては、図１に示したように、複数のローパスフィルタ（ＬＰＦ）から構成された第１フィルタリング部４２ａと、該第１フィルタリング部４２ａの出力を増幅する差動増幅器３０ｂと、複数のハイパスフィルタＨＰＦから構成されて前記第１フィルタリング部４２ａと前記差動増幅器３０ｂの出力端子間に接続された第２フィルタリング部４２ｂと、動作モード制御信号によってオーディオ信号を複数のローパスフィルタＬＰＦ中の一つにスイッチングする第１スイッチング部４１ａと、動作モード制御信号によって第１フィルタリング部４２ａの出力を複数のハイパスフィルタＨＰＦ中の一つにスイッチングする第２スイッチング部４１ｂとを包含して構成される。
【００４４】
この時、第１フィルタリング部及び第２フィルタリング部４２ａ、４２ｂは、各動作モードに該当する増幅利得及びフィルタ特性を有するように動作モードの種類によって各抵抗Ｒ３、Ｒ４、Ｒ５、Ｒ６、Ｒ７、Ｒ８及び各コンデンサＣ３、Ｃ４、Ｃ５、Ｃ６、Ｃ７、Ｃ８を包含した別途の回路に構成されてある。
【００４５】
又、第１スイッチング部及び第２スイッチング部４１ａ、４１ｂは、移動端末機のマイクロプロセッサ（非図示）から発生される動作モード信号に従ってスイッチング動作を遂行する。即ち、移動端末機の回路を構成する時、振動出力、メロディ出力及び通話音出力に対して各モードに従って特定な駆動信号を発生させるようにして、該駆動信号を差動増幅器３０ｂの回路構成に適用することで各動作モードに対して適合な増幅利得及びオーディオフィルタ特性を有するようにする。
【００４６】
且つ、前記第１フィルタリング部４２ａ及び第２フィルタリング部４２ｂは、オーディオフィルタを構成し、第１スイッチ４１ａ及び第２スイッチ４１ｂは、スイッチング部を夫々構成してある。
【００４７】
以下、本発明に係る移動端末機のＭＦＤ制御装置の動作に対し、説明する。
【００４８】
移動端末機のマイクロプロセッサ（非図示）から発生される動作モード信号の制御によって、第１スイッチ４１ａ及び第２スイッチ４１ｂは、第１フィルタリング部４２ａ及び第２フィルタリング部４２ｂの該当モード回路を連結する。
【００４９】
次いで、オーディオ信号が第１及び第２スイッチ４１ａ、４１ｂにより連結された第１フィルタリング部４２ａ及び第２フィルタリング部４２ｂを通ってＭＦＤ５０に伝送される。この時、第１フィルタリング部４２ａ及び第２フィルタリング部４２ｂを構成する各抵抗Ｒ３、Ｒ４、Ｒ５、Ｒ６、Ｒ７、Ｒ８及び各コンデンサーＣ３、Ｃ４、Ｃ５、Ｃ６、Ｃ７、Ｃ８の容量値により、増幅利得及びフィルタ特性が可変されることで、各動作モードによって入力されたオーディオ信号の各出力値は相異になり、ＭＦＤ５０の変換動作が可能になる。
【００５０】
以下、本発明に係る移動端末機のＭＦＤ制御方法に対し、図２ａ、図２ｂ及び図２ｃに示したフィルタ特性を利用して説明する。
【００５１】
即ち、移動端末機のマイクロプロセッサ（非図示）から発生される動作モード制御信号が第１スイッチ４１ａ及び第２スイッチ４１ｂに入力される。この時、動作モード制御信号によってＭＦＤ５０を振動出力モードで駆動させる場合、ＶＩＢ＿ＥＮ信号はハイ（ｈｉｇｈ）状態で、メロディ出力モードで駆動させる時は、ＭＥＬＯＤＹ＿ＥＮ信号がハイ（ｈｉｇｈ）状態である。然し、振動出力又はメロディ出力モードではない通話音出力モードの場合は、ＶＩＢ＿ＥＮ及びＭＥＬＯＤＹ＿ＥＮ信号を全てロー（ｌｏｗ）状態に入力することでＭＦＤ５０が受信機の機能を遂行するようにする。
【００５２】
スイッチング部４１は、第１スイッチ４１ａ及び第２スイッチ４１ｂに入力された動作モード制御信号により第１フィルタリング部４２ａと第２フィルタリング部４２ｂとを連結する。
【００５３】
通話音出力モードの場合は、ＶＩＢ＿ＥＮ及びＭＥＬＯＤＹ＿ＥＮの信号が全てロー状態であり、第１スイッチ４１ａ及び第２スイッチ４１ｂは、オーディオフィルタのＲ３、Ｃ３とＲ４、Ｃ４とを連結する。この時、図２ａに示したように、差動増幅器３０ｂの増幅利得はＲ４／Ｒ３になって、ｆ３及びｆ４から構成された帯域通過フィルタ（Ｂａｎｄ  Ｐａｓｓ  Ｆｉｌｔｅｒ）の特性を有する。
【００５４】
メロディ出力モードの場合は、ＭＥＬＯＤＹ＿ＥＮ信号がハイ状態に変換されて、第１スイッチ４１ａ及び第２スイッチ４１ｂは、オーディオフィルタのＲ５、Ｃ５とＲ６、Ｃ６とを連結する。この時、図２ｂに示したように、差動増幅器３０ｂの増幅利得はＲ６／Ｒ５であるが、メロディ出力モードの場合には、通話音出力モードより一層大きい増幅利得を必要とするために、Ｒ６／Ｒ５の値をＲ４／Ｒ３より大きく設定しなければならない。又、ｆ５＝１／（２＊π＊Ｒ５＊Ｃ５）の周波数値をＭＦＤ５０の振動共振周波数（ｆｏ）より高く設定することで低周波数のメロディ音が発生しても不必要なＭＦＤ５０の振動が発生されないようにする。
【００５５】
又、振動出力モードの場合は、ＶＩＢ＿ＥＮ信号がハイ状態に変換されて、第１スイッチ４１ａ及び第２スイッチ４１ｂは、オーディオフィルタのＲ７、Ｃ７とＲ８、Ｃ８とを連結する。ＭＦＤ５０は、特定振動共振周波数（ｆｏ）があって、該振動共振周波数（ｆｏ）が入力される時に振動出力が発生する。従って、振動出力モードの場合は、振動共振周波数（ｆｏ）の値がｆ７とｆ８間に包含されるように各抵抗Ｒ７、Ｒ８及び各コンデンサーＣ７、Ｃ８の容量を設定しなければならない。
【００５６】
第１スイッチ及び第２スイッチ４１ａ、４１ｂにより連結された第１及び第２フィルタリング部４２ａ、４２ｂは、動作モードに該当する出力利得及びフィルタ特性を有するので、ＭＦＤ５０に伝送される信号を調整する。又、変換された信号の伝送を受けたＭＦＤ５０は該当動作モードを遂行する。
【００５７】
【発明の効果】
以上説明したように、本発明に係る移動端末機のＭＦＤ制御装置及びその方法においては、振動出力、メロディ出力及び通話音出力モードによってオーディオフィルタを可変してフィルタ特性を調整することでメロディ出力又は通話音出力モードの動作時、音響に包含された低周波によりＭＦＤに不必要に発生される振動を防止し得るという効果がある。
【００５８】
且つ、本発明に係る移動端末機のＭＦＤ制御装置及びその方法においては、動作モードによって発生される明確に区分された信号を発生させることで誤動作を防止し得て、ＭＦＤを效率的に動作し得るという効果がある。
【図面の簡単な説明】
【図１】本発明に係るオーディオ増幅部を示したブロック図である。
【図２ａ】本発明に係る各動作モード別のオーディオフィルタ特性を示したグラフである。
【図２ｂ】本発明に係る各動作モード別のオーディオフィルタ特性を示したグラフである。
【図２ｃ】本発明に係る各動作モード別のオーディオフィルタ特性を示したグラフである。
【図３】従来の移動端末機に係るＭＦＤ制御装置の構成を示したブロック図である。
【図４ａ】従来のオーディオ増幅部を示したブロック図である。
【図４ｂ】従来のオーディオフィルタの特性を示したグラフである。
【符号の説明】
１０  ボコーダー
２０  コーデック
３０  オーディオ増幅部
３０ａ  オーディオ増幅器
３０ｂ  オーディオ増幅器
４０  オーディオフィルタ
４１ａ  第１スイッチ
４１ｂ  第２スイッチ
４２ａ  第１フィルタリング部
４２ｂ  第２フィルタリング部
５０  ＭＦＤ
【図１】
0003626726.tif 000002
【図２ａ】
0003626726.tif 000003
【図２ｂ】
0003626726.tif 000004
【図２ｃ】
0003626726.tif 000005
【図３】
0003626726.tif 000006
【図４ａ】
0003626726.tif 000007
【図４ｂ】
0003626726.tif 000008